(57)【要約】      （修正有）【課題】居住施設の空調で使用されるエネルギーを削減する。【解決手段】吸気口２１を有する第一流路２と、隔壁４を介して前記第一流路に隣接し、前記第一流路の吸気口の反対側の末端において第一流路と連通しており、前記連通している側とは反対側に排気口を有する第二流路３と、並びに前記第一流路と第二流路との間の前記隔壁をその長さ方向において少なくとも一部貫通して設けられた、前記第一流路及び前記第二流路の空気を暖めるための温かい排水を貯蔵する大容量の貯蔵容器６と、を有することを特徴とする、居住施設の床下空間に設けられる空調システム。【選択図】図１
2020063847.tif 000002
【特許請求の範囲】
【請求項１】
吸気口を有する第一流路と、
隔壁を介して前記第一流路に隣接し、前記第一流路の吸気口の反対側の末端において第一流路と連通しており、前記連通している側とは反対側に排気口を有する第二流路と、並びに
前記第一流路と第二流路との間の前記隔壁をその長さ方向において少なくとも一部貫通して設けられた、前記第一流路及び前記第二流路の空気を暖めるための温かい排水を貯蔵する大容量の貯蔵容器と、
を有することを特徴とする、居住施設の床下空間に設けられる空調システム。
【請求項２】
前記貯蔵容器が、熱伝導率が０．１２〜０．２０Ｗ／ｍＫの材料により形成されている、請求項１に記載の空調システム。
【請求項３】
屋外から屋内へと空気を取り込むための吸気口に備えられる、パイプにより形成された格子を有するフィルター。
【請求項４】
床下空間に請求項１又は２に記載の空調システムを備えた居住施設であって、少なくとも前記空調システムが備えられた箇所において、床下空間を形成する基礎の内面、土台の内面及び床の下面に断熱材が備えられていることを特徴とする前記居住施設。
【請求項５】
吸気口に請求項３のフィルターを備えた居住施設であって、前記フィルターのパイプ内部に地下水が供給されることを特徴とする前記居住施設。
【請求項６】
床下空間に請求項１又は２に記載の空調システムと、吸気口に請求項３のフィルターと、を備えた居住施設であって、少なくとも前記空調システムが備えられた箇所において、床下空間を形成する基礎内面、土台の内面及び床下面に断熱材が備えられ、前記フィルターのパイプ内部に地下水が供給されることを特徴とする前記居住施設。
【発明の詳細な説明】
【技術分野】
【０００１】
本発明は、居住施設に使用する空調システム及び前記空調システムを備えた居住施設に関する。
【背景技術】
【０００２】
居住施設の省エネルギー化は、最も身近であり且つ重要な課題である。具体的な省エネルギーの手法はいくつか存在するが、代表的なものとして、風呂や炊事場等で使用した温水の熱を回収して再利用する方法があげられる。特許文献1は、1階床下空間に設けられた温水蓄熱槽に、風呂で利用した後のお湯を留湯させ、当該お湯により1階床下内部の空気を暖め、当該暖められた空気を屋内に供給する技術を開示している。
【先行技術文献】
【特許文献】
【０００３】
【特許文献１】特開２０１２−１７２９６６号公報
【発明の概要】
【発明が解決しようとする課題】
【０００４】
しかしながら、特許文献１に開示された技術は、以下のような問題を有していた。特許文献１に開示された前記温水蓄熱槽は、特許文献１の図１及び２に開示されているように、広い平面積を有する容器である。このような広い平面積を有する容器に温水を貯留すると、貯留された温水の熱が一気に床下内部の空気を暖める。言い換えれば、一気に温水の熱が放出されるため、貯留された温水による暖め効果は一時的なものに限定されてしまう。
【０００５】
従来技術は前記のような問題を有していたため、このような問題が解決できる技術が求められてきた。
【課題を解決するための手段】
【０００６】
本発明者は、前記課題を解決することを目的として鋭意検討を重ねた結果、床下空間及び吸気口に一定の構造を採用することにより上記問題が解決できることを見いだし、本発明に至った。すなわち本発明は、
［１］吸気口を有する第一流路と、
隔壁を介して前記第一流路に隣接し、前記第一流路の吸気口の反対側の末端において第一流路と連通しており、前記連通している側とは反対側に排気口を有する第二流路と、並びに
前記第一流路と第二流路との間の前記隔壁をその長さ方向において少なくとも一部貫通して設けられた、前記第一流路及び前記第二流路の空気を暖めるための温かい排水を貯蔵する大容量の貯蔵容器と、
を有することを特徴とする、居住施設の床下空間に設けられる空調システム、
［２］前記貯蔵容器が、熱伝導率が０．１２〜０．２０Ｗ／ｍＫの材料により形成されている、［１］に記載の空調システム、
［３］屋外から屋内へと空気を取り込むための吸気口に備えられる、パイプにより形成された格子を有するフィルター、
［４］床下空間に［１］又は［２］に記載の空調システムを備えた居住施設であって、少なくとも前記空調システムが備えられた箇所において、床下空間を形成する基礎の内面、土台の内面及び床の下面に断熱材が備えられていることを特徴とする前記居住施設、
［５］吸気口に［３］のフィルターを備えた居住施設であって、前記フィルターのパイプ内部に地下水が供給されることを特徴とする前記居住施設、並びに
［６］床下空間に［１］又は［２］に記載の空調システムと、吸気口に［３］のフィルターと、を備えた居住施設であって、少なくとも前記空調システムが備えられた箇所において、床下空間を形成する基礎内面、土台の内面及び床下面に断熱材が備えられ、前記フィルターのパイプ内部に地下水が供給されることを特徴とする前記居住施設。
【発明の効果】
【０００７】
本発明の空調システムを用いることにより、家庭から排出された温水の熱を一気に放出することなく、徐々に放出させることにより温水の熱を持続して利用することが可能となる。また、前記フィルターを使用することにより、大幅なコストをかけることなく温度及び／又は湿度のコントロールが可能となる。従って、本発明の空調システム及びフィルターを併用することで、居住施設の省エネルギー化をより効率よく進めることが可能となる。
【図面の簡単な説明】
【０００８】
【図１】本発明の空調システムの一形態を表す平面図である。
【図２】図１の空調システムの正面図である。
【図３】図１の空調システムの底面図である。
【図４】図１におけるＡ−Ｂ断面図である。
【図５】本発明のフィルターの一形態を表す正面図である。
【図６】図５のフィルターの平面図である。
【図７】図５におけるＡ−Ｂ断面図である。
【図８】図５とは別の形態のフィルターを表す正面図である。
【図９】本発明の空調システムを備えた一般住宅の正面図である。
【図１０】図９の住宅に備えた空調システムにおける貯蔵容器と、各種配管との関係を説明するための斜視図である。
【図１１】本発明のフィルターを備えた一般住宅の正面図である。
【図１２】図１１の住宅に備えたフィルター、配管、ポンプ及びバルブの関係を説明するための一部拡大図である。
【図１３】本発明の空調システム及びフィルターを備えた一般住宅の正面図である。
【図１４】本発明の空調システム及びフィルターを備えた図１３とは別の一般住宅の正面図である。
【発明を実施するための形態】
【０００９】
以下に、添付図面に示す具体的な実施形態に基づき、本発明を詳細に説明する。なお、本発明の範囲は以下の記載に限定されるものではなく、特許請求の範囲に記載された事項の範囲内で様々な設計変更が可能であることは言うまでもない。また、以下の説明において、「上」、「下」、「左」、「右」、「前」及び「後」は、各図面において記載されている方向を意味する。
【００１０】
1．空調システム
本発明の空調システム1は、居住施設に使用されるものである。なお、本発明において、「居住施設」とは、一般住宅はもちろんのこと、マンション及びアパート等の集合住宅並びに病院、老人ホーム、旅館及びホテル等の一定期間人が居住する大規模施設を含むものである。
【００１１】
本発明の空調システム１の一形態が、図１に示されている。本発明の空調システム１は、前側に吸気口２１を有する第一流路２と、
隔壁４を介して前記第一流路２に隣接し、前記第一流路２の吸気口２１の反対側の末端（後側）において第一流路２と連通しており、前記連通している側とは反対側（前側）に排気口３１を有する第二流路３と、並びに
前記第一流路２と第二流路３との間の前記隔壁４をその長さ方向において少なくとも一部貫通して設けられた、前記第一流路２及び前記第二流路３の空気を暖めるための、温かい排水を貯蔵するための大容量の貯蔵容器６と、を有する。
【００１２】
第一流路２は、吸気口２１から取り込んだ空気を通すための通路である。第一流路２は、図２に示されるように、底部２２、側壁２３、天井部２４及び隔壁４（貯蔵容器６により置き換えられた箇所においては貯蔵容器６）により形成される。第一流路２の底部２２、側壁２３及び天井部２４は、通常、居住施設を建設する際に使用されているいかなる材料によって形成されていても良い。このような材料の具体的な例として、例えば、鉄、ステンレス及びアルミニウム等の金属材料、コンクリート等の無機材料、板材及び合板材等の木質材料、並びにポリウレタン、ポリスチレン及び塩化ビニル等の有機樹脂材料があげられる。これらの中でも、特に、有機樹脂材料製の発泡材を用いることにより、第一流路２内の熱が外部に漏れることを極力防ぐことができる。また、有機樹脂材料製の発泡材以外の材料を用いて第一流路２を形成した場合には、これらの表面、例えば空気が流れる第一流路２の内面を、有機樹脂材料製の発泡材料で覆っても良い。第一流路２の底部２２、側壁２３及び天井部２４を、全て同じ材料で形成しても良いし、異なる材料で形成しても良い。また、例えば、空調システム１を地面又は居住施設の基礎の床面に設置する場合には、第一流路２の底部２２を設けずに、設置場所の地面又は居住施設の基礎の床面を底部２２としてもよい。同様に、第一流路２の天井部２４を、設置場所の床板下面で代用しても良い。
【００１３】
第一流路２の正面方向から見た形状（図２参照）は、吸気口２１から取り込んだ空気を通し、後述する第二流路３へと流すことができる形状であれば特に限定されない。第一流路２の正面方向から見た大きさは、後述する貯蔵容器６に邪魔されることなく空気を通すことができることを条件として、特に限定されない。例えば、第一流路２の正面方向から見た断面積を、０．３〜０．６ｍ２とすることが好ましい。
【００１４】
後述する貯蔵容器６に貯蔵されたお湯の熱により、第一流路２を通過する空気を暖める。従って、第一流路２は、その中を通過する空気をより効率よく暖めることができるように、前後方向の長さをある程度の長さにすることが好ましい。例えば、空調システム１を一般住宅に使用する場合には、例えば６〜１５ｍ程度の長さを有することが好ましい。一方、集合住宅や大規模施設等で使用する場合には、例えば２０〜４０ｍ程度の長さを有することが好ましい。なお、第一流路２の長さは、第一流路２の吸気口２１から第一流路２の末端までの長さ（図１におけるＬ１）を意味する。第一流路２の上下方向における高さは、床下空間の高さ等に応じて適宜変更可能である。また、第一流路２の長さ方向の形状は、第一流路２の長さ方向における中心線がまっすぐな形状となっていても、中心線に曲線部を有する曲がりくねった形状となっていても良い。
【００１５】
前記の通り、吸気口２１は、第一流路２の入り口（前側）に設けられている。吸気口２１の位置、大きさ及び形状は、空調システム１の全体の形状、第一流路２の形状、空調システム１の取り付け位置及び居住施設の床下の構造等に基づいて適宜変更可能である。
【００１６】
第二流路３は、前記の通り、隔壁４（貯蔵容器６により置き換えられた箇所においては貯蔵容器６）を介して前記第一流路２に隣接し、前記第一流路２の吸気口２１の反対側の末端（後側）において第一流路２と連通しており、前記連通している側とは反対側（前側）に排気口３１を有している。第二流路３は、第一流路２と同じように、底部３２、側壁３３、天井部３４及び隔壁４（貯蔵容器６により置き換えられた箇所においては貯蔵容器６）により形成されている。
【００１７】
第二流路３の大きさ、形状、材質等は、第一流路２と同じものが採用可能である。なお、第二流路３の大きさ、形状、材質等を、第一流路２のものと同じにしても、異なるものにしても良い。ただし、後述するように、貯蔵容器６を、第一流路２と第二流路３との間の隔壁４を貫通させて設ける。従って、少なくとも第二流路３の正面方向の形状及び長さ方向における形状は、第一流路２のものと同じにすることがより好ましい。また、第一流路２の場合と同じように、第二流路３の底部３２を設置場所の地面又は基礎の床で代用し及び／又は第二流路３の天井部３４を設置場所の床板下面で代用しても良い。
【００１８】
排気口３１は、第一流路２と第二流路３とが連通している側（後側）とは反対側（前側）に備えられている。排気口３１の大きさ及び形状は、空調システム１の全体の形状、第二流路３の形状、空調システム１の取り付け位置及び居住施設の床下の構造等に基づいて適宜変更可能である。
【００１９】
隔壁４は、第一流路２と第二流路３とを分けるための壁である。隔壁４を形成する材料は、第一流路２を形成するために使用できる前記材料のいかなる材料も使用可能である。隔壁４の大きさにも特に制限はない。なお、第一流路２の底部２２及び第二流路３の底部３２を地面又は基礎の床面で代用し、第一流路２の天井部２４及び第二流路３の天井部３４を床板の下面で代用した場合、隔壁４は、当該地面又は基礎の床面から床板の下面まで伸びる壁として形成させて良い。尚、隔壁４の前後方向の長さを、第一流路２及び第二流路３の前後方向の長さよりも若干短くすることにより、後述する連通部５を設けている。
【００２０】
第一流路２と第二流路３とは、前記の通り連通部５を介して連通している。前記連通部５は、空調システム１の後ろ側の壁５１と隔壁４及び貯蔵容器６の後ろ側により形成されている。連通部５の大きさ、形状、材質等は、第一流路２を通過した空気を第二流路３に送ることができることを条件として、特に制限されない。例えば、連通部５、具体的には壁５１の材料は、第一流路２の材料として列挙された上記のいずれの材料も採用可能である。
【００２１】
貯蔵容器６は、前記第一流路２と第二流路３との間の隔壁４をその長さ方向（前後方向）において少なくとも一部貫通して設けられており、前記第一流路２及び前記第二流路３の空気を暖めるための、温かい排水を貯蔵するための大容量の貯蔵容器である。貯蔵容器６は、温かい排水を貯蔵容器６に受け入れるための吸入口６１（例えば、図２においては、貯蔵容器６の前側の上側に）と、温かい排水を貯蔵容器６から排出するための排出口６２（例えば、図４においては、貯蔵容器６の後側の下側に）を有している。吸入口６１及び排出口６２は、例えば、電磁弁等で開閉可能な状態とすることが好ましい（図示せず）。
【００２２】
貯蔵容器６は、前記のように隔壁４をその長さ方向において少なくとも一部貫通して設けられている。「長さ方向において少なくとも一部貫通」とは、第一流路２と第二流路３とを分割する隔壁４の少なくともその一部が、貯蔵容器により貫通されていること、言い換えれば、隔壁４の少なくとも一部が貯蔵容器そのものによって置き換えられていることを意味する。また、「少なくとも一部が」とは、隔壁４と貯蔵容器６とが併存する場合もあれば、隔壁４全体が貯蔵容器６により置き換えられる（言い換えれば、隔壁４が存在しない場合がある）ことを意味する。
【００２３】
貯蔵容器６を形成する材料は、温水を貯蔵できることを条件として、いかなる材料も使用可能である。このような材料の例として、例えば、コンクリート等の無機材料、及び塩化ビニル等の樹脂材料等があげられる。このような材料の内、熱伝導率が好ましくは０．１２〜０．２０、より好ましくは０．１４〜０．１８、さらに好ましくは０．１６〜０．１７Ｗ／ｍＫの材料を選択するが好ましい。このような材料を選択することにより、貯蔵容器６に貯蔵された温水の熱を一気に放出することがなく徐々に熱が放出されることから、より長く温水の熱を利用可能となる。
【００２４】
貯蔵容器６の形状は、温水を貯蔵できることを条件として特に制限されない。例えば、図１及び２に記載するように、貯蔵容器６の形状を円筒状にすることもできる。
貯蔵容器６の容量は、大容量、具体的には、例えば、３００〜１０００ｌの容積であることが好ましい。貯蔵容器６がこのような大容量であることにより、貯蔵容器６に貯蔵された温水の熱が短時間で貯蔵容器６外に放出されることを防止できる。
【００２５】
貯蔵容器６の大きさは、前記のような大容量が確保できるような大きさであることを条件として、特に制限されない。しかしながら、例えば、貯蔵容器６が円筒状の容器であり且つ空調システム１が一般住宅において使用される場合に、貯蔵容器６の直径に対する長さの比率（直径／長さ×１００）が好ましくは２．５〜５．８、より好ましくは３．５〜４．２であることが好ましい。また例えば、貯蔵容器６が円筒状の容器であり且つ空調システム１が集合住宅や大規模施設において使用される場合に、貯蔵容器６の直径に対する長さの比率（直径／長さ×１００）が好ましくは１．２５〜３．５、より好ましくは１．７５〜２．５であることが好ましい。貯蔵容器６の大きさの比率が、前記範囲内であることにより、貯蔵容器６に貯蔵された温水の熱が短時間で貯蔵容器６外に放出されることを防止できる。また、貯蔵容器６の大きさの比率が前記のような範囲である場合、貯蔵容器６の長さは、例えば一般住宅に使用する場合には５〜１４ｍ、集合住宅や大規模施設において使用する場合には１９〜３９ｍであってよい。
【００２６】
本発明の空調システム１における熱交換をより効率よく進めるために、空調システム１を断熱材で覆っても良い。具体的には、例えば、第一流路２の底部２２、側壁２３及び天井部２４、第二流路３の底部３２、側壁３３及び天井部３４、並びに連通部５の壁５１の内側表面を断熱材で覆ってもよい。このような断熱材としては、居住施設において通常使用されているいかなる断熱材も使用可能である。このような断熱材の具体的な例として、例えば、ポリウレタン、ポリスチレン及び塩化ビニル等の有機樹脂材料の発泡材があげられる。
【００２７】
２．フィルター
本発明のフィルター７は、前記の通り、屋外から屋内へと空気を取り込むための吸気口に備えられる、パイプにより形成された格子を有するフィルターである。
【００２８】
フィルター７の代表的な実施形態が、図５〜７に示されている。図５に示されたフィルター７の正面方向から見た外形は長方形である。しかしながら、本発明のフィルター７の正面方向から見た外形は、居住施設の外壁に取り付けることができることを条件として、特に限定されない。このような外形の例として、三角形、五角形及び六角形等の多角形や、楕円形を含む円形等があげられる。フィルター７を形成する材料は、居住施設で使用されるいかなる材料も利用可能である。しかしながら、フィルター７内部に地下水を流す際、当該地下水の熱をより早く効率的に利用できるため、フィルター７の材料は、アルミ及びステンレス等の金属材料であることが好ましい。
【００２９】
図５及び６に示すように、フィルター７は、その左側に流入口７１を、右側に流出口７２を有している。パイプにより形成された四角形の外形の内部に、パイプにより形成された格子７３を有している。格子７３の形状は、後述するように格子の内部に地下水を流すことができる中空７４を有することを条件として、特に限定されない。格子７３の断面形状は、例えば、三角形、四角形、五角形及び六角形等の多角形であっても良いし、図７に示すように楕円形を含む円形であっても良い。また、格子７３を前面から見た際の形状は、図５に示すように水平方向において直線状であってもよいし、図８に示すように水平方向においてＶ字を描くように途中で折れ曲がった形状であっても良い。このように格子７３がＶ字を描くことにより以下のような効果が生じる。例えば、夏場のように湿気が多い時期に、格子７３の内部に地下水を流すことで格子７３において湿気が凝結して結露した場合、当該結露により生じた水を格子７３からＶ字の先端に集めて格子７３から落とすことにより、湿気の凝集効率を高めることが可能である。
【実施例】
【００３０】
実施例１
図１〜４に示す形の空調システム１を作成した。貯蔵容器６を、塩化ビニルのパイプ（直径３００ｍｍ、長さ８ｍ、長さに対する直径の比率３．７５、熱伝導率０．１６Ｗ／ｍＫ、容量５６５リットル）とした。貯蔵容器６以外は、全て発泡ポリスチレン断熱材（株式会社ＪＳＰ社製、商品名ミラホームＭＫＳ）で形成した（吸気口２１及び排気口３１の面積０．３６ｍ２（上下方向の高さ０．４ｍ、左右方向の幅０．９ｍ）、第一流路２及び第二流路３の上下方向の高さ０．４ｍ、左右方向の幅０．９ｍ及び長さ９ｍ）。
実施例２
貯蔵容器６以外をコンクリートで形成したこと、並びに第一流路２の底部２２、側壁２３及び天井部２４、第二流路３の底部３２、側壁３３及び天井部３４、並びに連通部５の壁５の内側表面に発泡ポリスチレン断熱材（株式会社ＪＳＰ社製、商品名ミラホームＭＫＳ）（以下、「断熱材１１」とする）を貼り付けた以外は、実施例１と同様の空調システム１を作成した。
【００３１】
居住施設例１
図９は、実施例１の前記空調システム１を備えた一般住宅８の図面である。図９の住宅８は二階建てである。住宅８は、基礎８０１、土台８０２及び床板８０３により取り囲まれた床下空間８０４を形成している。本発明の空調システム１は、前記床下空間８０４の内部に備えられている。空調システム１は、住宅８の床下空間８０４の一部に設けられており、吸気口２１及び排気口３１は、床下空間８０４の内部に設けられている。なお、図９において、空調システム１は、床下空間８０４に１つ設けられている。しかしながら、必要に応じて、床下空間８０４に２つ以上の空調システム１を備えることも可能である。
【００３２】
住宅８に備えられた浴槽８０５は、排水パイプ８０６を介して空調システム１の貯蔵容器６の吸入口６１に接続されている（図１０参照）。なお、空調システム１の貯蔵容器６に接続される対象は、浴槽に限られるものではなく、温かい排水を生じる箇所、例えば炊事場又は風呂場等であっても良い。また、温水を発生させる発生源にも特に制限は無く、蛇口やシャワー等の居住施設において通常使用されているいずれの発生源でもよい。排水パイプ８０６の途中には、オーバーフローパイプ８０７が接続されている。オーバーフローパイプ８０７が備えられていることにより、貯蔵容器６の容量を超える排水が排水パイプ８０６に流された場合であっても、あふれた排水がオーバーフローパイプ８０７から排出され、排水の浴槽８０５への逆流を防ぐことができる。
【００３３】
貯蔵容器６の排出口６２は、排水パイプ８０８を介して、下水管等へと接続されている（図１０参照）。吸入口６１及び排出口６２に接続された排水パイプ８０６及び８０８は、バルブ８０９及びバルブ８１０により開閉可能である。前記バルブ８０９及びバルブ８１０は、手動で開閉しても良いし、電磁弁として操作パネル等で開閉できるようにしても良いし、温度センサーと接続し気温や水温の数値に応じて自動的に開閉できるようにしても良い。例えば、冬場には、バルブ８１０を閉じた状態でバルブ８０９を開放し、貯蔵容器６に温水をためて、空調システム１内の空気を暖めて良い。一方で、夏場等の暑い時期には、バルブ８０９を閉じた状態にすることで、排水がオーバーフローパイプ８０７を介して排水される。これにより、排水が貯蔵容器６に流れることがないため、屋内に供給される空気を不必要に暖めることは無い。
【００３４】
空調システム１の排気口３１は、吸気パイプ８１１と接続されている。前記吸気パイプ８１１は、住宅８の各部屋まで伸びている。住宅８は、その壁面において住宅８内の空気を屋外に排出するための排気ファン８１２を有している。排気ファン８１２が屋内の空気を屋外に排出することにより、屋内において負圧が生じる。当該発生した負圧により、吸気口８１３から屋外の空気が吸入され、空調システム１へと導入される。
【００３５】
住宅８の外部からの空気の取込は、住宅８の基礎８０１の側面に設けられた吸気口８１３を介して行われる。吸気口８１３の空調システム１に対する位置は、特に制限されない。例えば、空調システム１の吸気口２１を、直接、住宅８の吸気口８１３と接続させても良い。しかしながら、住宅８の吸気口８１３を空調システム１の吸気口２１からできるだけ離した位置にすることにより、吸気口８１３から取り込まれた空気が吸気口２１に取り込まれる前に、床下空間８０４の地熱により温められる。従って、例えば、空調システム１を床下空間の端に設置した場合には、図９に示すように、吸気口８１３を空調システムが設置された側と反対側に設けることがより好ましい。
【００３６】
浴槽８０５にてお湯を使用した後、バルブ８１０を閉じバルブ８０９を開放状態にして温かい排水が排水パイプ８０６を経由して貯蔵容器６に貯蔵される。排気ファン８１２の減圧効果により吸気口８１３を介して床下空間８０４に取り込まれた空気は、吸気口２１から取り込まれ第一流路２、連通部５及び第二流路３を経由する。第一流路２、連通部５及び第二流路３を経由する空気は、貯蔵容器６と比較的長時間接触する。また、貯蔵容器６は、貯蔵容器６と接触した空気を徐々に暖める。貯蔵容器６から放出された熱により暖められた空気は、排気口３１、吸気パイプ８１１を介して各部屋に供給される。なお、前記の例において、空調システム１から暖められた空気が屋内に供給される際には、排気ファン８１２による負圧が利用されている。しかしながら、空調システム１から空気を供給する方法はこれに限られない。例えば、吸気パイプ８１１の出口に屋内へと空気を送る吸気ファンを設けても良い。また、空調システム１の排気口３１が存在する箇所の床板８０３に、暖められた空気を上昇気流により屋内へと供給するための吸気口又は屋内へと空気を送る吸気ファンを設けてもよい。
【００３７】
なお、貯蔵容器６は、前述の通り大容量であり、一気に温かい排水の熱が放出されることがない。前記一定の大きさの比率を有する容器を採用することにより、この効果はさらに向上可能である。従って、より長時間温かい排水の熱を利用することができる。貯蔵容器６の排水の温度が低下して空調システム１内の空気を暖めることができなくなった場合には、バルブ８１０を開放し、貯蔵容器６内の排水を下水管等に排出して良い。
【００３８】
空調システム１を床下空間８０４に設ける際には、床下空間８０４を形成する基礎８０１、土台８０２及び床板８０３の下面を、断熱材で覆っても良いし覆わなくても良い。しかしながら、空調システム１を床下空間８０４に設ける際には、少なくとも前記空調システムが備えられた箇所において、床下空間を形成する基礎内面、土台の内面及び床下面に断熱材が備えられることがより好ましい。図９の実施形態においては、基礎８０１の側面及び下面、土台８０２の側面、並びに床板８０３の下面の全体に断熱材８１４が設けられている。このように断熱材８１４を設けることにより、貯蔵容器６に貯蔵された温水の熱を、第一流路２及び第二流路３を流れる空気を暖めるためにより効率的に利用できる。なお、断熱材は、住宅において一般的に使用されているいずれの断熱材も使用可能である。
【００３９】
住宅例２
図１１は、実施例１の空調システム１の代わりにフィルター７を有する一般住宅の例を示している。図１１の住宅において、住宅例１と同じ符号が振られている箇所は、住宅例１において説明したものと同じものであるため、説明を省略する。
【００４０】
図１０の住宅８において、吸気口８１３の入り口をカバーするように、フィルター７が設置されている。フィルター７の流入口７１には地下水供給パイプ８１５が、流出口７２には地下水排出パイプ８１７が接続されている（図１２参照）。地下水供給パイプ８１５の途中には、地下水をくみ上げるためのポンプ８１６が備えられている。ポンプ８１６を連続的に作動させて、フィルター７の格子７３内部に地下水を連続的に供給してもよい。また、例えば、地下水排水パイプ８１７に温度センサーを有するバルブ８１８（例えば、電磁弁）を設け、地下水排水パイプ８１７に流れた水が一定の温度以上（又は以下）の場合にはバルブが自動的に閉まり、逆に一定の温度以下（又は以上）の場合にはバルブが自動的に開くように設定し、且つバルブが閉められた状態でポンプ８１６が停止するように設定しても良い。このようにすることで、ポンプ８１６が連続的に稼働することを防ぎエネルギーを最小限に抑えることができる。
【００４１】
地下水の温度は一定の温度で安定している。従って、夏場のように地下水よりも外気温が高くなる場合には、フィルター７を介して住宅８内部に供給される空気は、フィルター７により冷やされ温度が低下すると同時に空気に含まれた湿気がフィルター７により水となる。従って、住宅８内部に取り込まれる空気は、温度が低く且つ湿気が低下した状態で取り込まれるため、冷房等の空調設備の負担を軽減できる。
【００４２】
一方で、冬場のように、地下水よりも外気温が低くなる場合には、フィルター７を介して住宅８内部に供給される空気は、フィルター７により暖められる。従って、住宅８内部に取り込まれる空気は、外気よりも暖められた状態で住宅８内部に供給されているため、暖房等の空調設備の負担を軽減できる。
【００４３】
住宅例３
図１３は、実施例１の空調システム１とフィルター７とを有する住宅の例を示している。図１３の住宅において、住宅例１及び２と同じ符号が振られている箇所は、住宅例１及び２において説明したものと同じものであるため、説明を省略する。
【００４４】
空調システム１とフィルター７を併用することにより、住宅８の外部から取り込まれた空気を、地下水、地熱及び温かい排水の熱により暖めることができ、また前記空気の湿度をコントロールできる。従って、住宅８の空調に使用されるエネルギーの量を飛躍的に削減できる。
【００４５】
住宅例４
図１４は、実施例２の空調システム１とフィルター７とを有する住宅の例を示している。図１４の住宅において、住宅例１〜３と同じ符号が振られている箇所は、住宅例１〜３において説明したものと同じものであるため、説明を省略する。
【００４６】
図１４の住宅８は、図１３の住宅とは異なり、基礎８０１の側面及び下面、土台８０２の側面、並びに床板８０３の下面に断熱材が設けられていない。また、実施例２の空調システム１は、貯蔵容器以外がコンクリートで形成されている。従って、そのままでは、空調システム１内部の熱が、外部に逃げやすくなってします。しかしながら、実施例２の空調システム１は、前記の通り、その内部に断熱材１１が施されている。このようにすることで、空調システム１の内部に供給された空気の熱を外側に逃しにくくできる。
【００４７】
また、図１４の住宅８においては、図１３の住宅とは異なり壁面に排気ファン８１２が設けられていない。屋内の空気は、住宅８の壁面内部に設けられた排気ダクト８１９を介して屋外に排出される。排気ダクト８１９は、例えば、アルミ、ステンレス及び鉄鋼等の金属製材料からなる。排気ダクト８１９は、住宅８の壁面内部からいったん床下空間８０４内部を蛇行して土台８０２に設けられた排気ファン８１２に接続されている。排気ダクト８１９が床下空間８０４内を経由することにより、排気ダクト８１９を介して排出される屋内の空気の熱が、床下空間８０４の空気を暖めるために利用できる。このように構成することにより、空調システム１による空気を暖める効果をさらに高めることができ、住宅８において利用されるエネルギーをさらに削減できる。
【符号の説明】
【００４８】
空調システム  １ 
断熱材  １１
第一流路  ２     
吸気口  ２１
底部  ２２
側壁  ２３
天井部  ２４
第二流路  ３     
排気口  ３１
底部  ３２
側壁  ３３
天井部  ３４
隔壁      ４       
連通部  ５        
壁  ５１
貯蔵容器  ６     
吸入口  ６１
排出口  ６２
フィルター  ７
流入口  ７１
流出口  ７２
格子  ７３
中空  ７４
住宅  ８
基礎  ８０１
土台    ８０２
床板  ８０３
床下空間  ８０４
浴槽  ８０５
排水パイプ  ８０６
オーバーフローパイプ  ８０７
排水パイプ  ８０８
バルブ  ８０９
バルブ  ８１０
吸気パイプ  ８１１
排気ファン  ８１２
吸気口  ８１３
断熱材  ８１４
地下水供給パイプ  ８１５
ポンプ  ８１６
地下水排水パイプ  ８１７
バルブ  ８１８
排気ダクト  ８１９
【図１】
2020063847.tif 000003
【図２】
2020063847.tif 000004
【図３】
2020063847.tif 000005
【図４】
2020063847.tif 000006
【図５】
2020063847.tif 000007
【図６】
2020063847.tif 000008
【図７】
2020063847.tif 000009
【図８】
2020063847.tif 000010
【図９】
2020063847.tif 000011
【図１０】
2020063847.tif 000012
【図１１】
2020063847.tif 000013
【図１２】
2020063847.tif 000014
【図１３】
2020063847.tif 000015
【図１４】
2020063847.tif 000016